(57)【要約】【課題】  使用する印刷エンジンの種類が限定されない形で印刷装置を製造できる印刷装置製造方法を、提供する。【解決手段】  印刷エンジン３０ｘ（ｘ＝ａ，ｂ）の、印刷制御インタフェース用コネクタ３１を介した制御が可能な画像処理ＡＳＩＣ２３及びＩＯ制御ＡＳＩＣ２４を有する制御ユニット２０を用いることにより、印刷装置１０ｘの組み立て時に印刷制御インタフェース用コネクタ３１の接続先が選択可能なようにしておく。【選択図】  図１
2005131983.tif 000002
【特許請求の範囲】
【請求項１】
自身の動作状態に関する状態情報を出力するための印刷制御インタフェース用コネクタ，及び，印刷内容を規定するビデオデータを入力するためのビデオデータインタフェース用コネクタが設けられた印刷エンジンを用いて印刷装置を製造するための印刷装置製造方法であって、
前記印刷エンジンを制御するための制御ユニットを、
前記ビデオデータインタフェース用コネクタと接続可能なビデオデータ用コネクタ、及び、前記印刷制御インタフェース用コネクタと接続可能な２つの印刷制御用コネクタを有するユニットとして構成しておく共に、
前記ビデオデータインタフェース用コネクタを、前記ビデオデータ用コネクタと接続すると共に、前記印刷制御インタフェース用コネクタを、前記２つの印刷制御用コネクタの中の，接続作業が容易な方のコネクタと接続することにより、印刷装置を製造する
ことを特徴とする印刷装置製造方法。
【請求項２】
自身の動作状態に関する状態情報を出力するための印刷制御インタフェース用コネクタ，及び，印刷内容を規定するビデオデータを入力するためのビデオデータインタフェース用コネクタが設けられた印刷エンジンを用いて印刷装置を製造するための印刷装置製造方法であって、
前記印刷エンジンを制御するための制御ユニットを、
前記印刷制御インタフェース用コネクタを介して前記印刷エンジンとの間で通信を行うための機能，及び，前記ビデオデータインタフェース用コネクタを介して前記印刷エンジンに前記ビデオデータを供給するための機能を有するビデオデータ供給用集積回路と、
前記印刷制御インタフェース用コネクタを介して前記印刷エンジンとの間で通信を行うための機能を有する第２集積回路と、
前記ビデオデータ集積回路及び前記第２集積回路を介して前記印刷エンジンを制御するＣＰＵ
とを含むユニットとして構成しておく共に、
前記ビデオデータインタフェース用コネクタを、前記ビデオデータ用集積回路と接続すると共に、前記印刷制御インタフェース用コネクタを、前記ビデオデータ用集積回路及び前記第２集積回路の中の，接続作業が容易な方の集積回路に接続することにより、印刷装置を製造する
ことを特徴とする印刷装置製造方法。
【請求項３】
前記制御ユニットが、
ＳＰＤが設けられている第１メモリモジュールと、
ＳＰＤが設けられている第２メモリモジュールと、
前記第１メモリモジュール上のＳＰＤ及びメモリを利用するための機能を有する第１集積回路とを、更に、備え、
前記第２集積回路として、前記第２メモリモジュール上のＳＰＤ及びメモリを利用するための機能を有する集積回路を備えたユニットである
ことを特徴とする請求項２記載の印刷装置製造方法。
【請求項４】
ＣＰＵと、前記ＣＰＵに接続された第１集積回路と、前記第１集積回路に接続された第２集積回路と、ＳＰＤが設けられている第１メモリモジュールと、ＳＰＤが設けられている第２メモリモジュールとが、プリント基板上に取り付けられた制御ユニットを有する印刷装置であって、
前記第１集積回路が、前記第１メモリモジュール上の前記ＳＰＤを利用するための機能と前記第１メモリモジュール上のメモリを利用するための機能とを有する集積回路であり、
前記第２集積回路が、前記第２メモリモジュール上の前記ＳＰＤを利用するための機能と前記第２メモリモジュール上のメモリを利用するための機能とを有する集積回路である
ことを特徴とする印刷装置。
【請求項５】
自身の動作状態に関する状態情報を出力するための印刷制御インタフェース用コネクタと印刷内容を規定するビデオデータを入力するためのビデオデータインタフェース用コネクタとを有する印刷エンジン、及び、前記ビデオデータインタフェース用コネクタを介して前記印刷エンジンに前記ビデオデータを供給するためのビデオデータ供給用集積回路と組み合わされて使用される印刷装置用集積回路であって、
前記印刷制御インタフェース用コネクタを介して前記印刷エンジンとの間で通信を行うための機能と、
メモリモジュール上のＳＰＤを利用するための機能と、
前記メモリモジュール上のメモリを利用するための機能
とを、有することを特徴とする印刷装置用集積回路。
【発明の詳細な説明】
【技術分野】
【０００１】
本発明は、印刷装置を製造するための印刷装置製造方法と、印刷装置と、印刷装置に使用される印刷装置用集積回路とに、関する。
【背景技術】
【０００２】
既存の印刷装置の中には、図３に示した構成を有する印刷装置５０が、存在している。
【０００３】
すなわち、この印刷装置５０は、ＣＰＵ６１，メモリ制御ＡＳＩＣ６２，画像処理ＡＳＩＣ６３，ＩＯ制御ＡＳＩＣ６４，幾つかのＲＡＭモジュール６５，幾つかのＲＯＭモジュール６６等からなる制御ユニット６０と、印刷エンジン７０とを、備えている。
【０００４】
印刷エンジン７０は、ビデオデータインタフェース用コネクタ７２（図では、ビデオデータインタフェース）を介して入力されたビデオデータに応じた内容の印刷を用紙上に行うユニットである。この印刷エンジン７０は、自身の動作状態に関する状態情報（印字可能であるか否か、エラーの有無等を示す情報）を印刷制御インタフェース用コネクタ７１（図では、印刷制御インタフェース）を介して出力する機能も、有している。
【０００５】
制御ユニット６０の構成要素であるＣＰＵ６１は、印刷装置５０を動作させるための各種の処理（演算処理，制御処理）を行う制御回路である。ＲＯＭモジュール６６は、複数のＲＯＭとＳＰＤとが基板上に搭載されたメモリモジュール（通常、ＤＩＭＭ）である。このＲＯＭモジュール６６上の各ＲＯＭには、ＣＰＵ６１が実行するプログラムや、ＣＰＵ６１（プログラム）が利用するフォントデータ等が記憶されている。なお、ＳＰＤ（Serial Presence Derect）とは、メモリモジュールに搭載されているメモリの容量，スピード，種類（FlashROM、MaskROM、SDRAM、EDOといった種類）を示す情報が書き込まれているＥＥＰＲＯＭのことである。また、ＳＰＤは、ノード指定で通信が行えるプロトコル（Ｉ２Ｃ）により制御されるものとなっている。
【０００６】
ＲＡＭモジュール６５は、複数のＲＡＭとＳＰＤとが基板上に搭載されたメモリモジュールである。このＲＡＭモジュール６５上の各ＲＡＭは、プログラムやデータの記憶に使用される。
【０００７】
ＩＯ制御ＡＳＩＣ６４は、バスによって接続されているＲＯＭモジュール６６上のＲＯＭに対する制御処理、各種外部Ｉ／Ｆ〔パラレルインタフェース，操作パネル（ＬＥＤ、押しボタンスイッチやＬＣＤ）等〕に対する制御処理等を行うＡＳＩＣである。
【０００８】
メモリ制御ＡＳＩＣ６２は、バスによって接続されているＲＡＭモジュール６５上のＲＡＭに対する制御処理、ＲＡＭモジュール６５上にＣＰＵ６１（プログラム）が用意した画像データを画像処理ＡＳＩＣ６３に供給（ＤＭＡ転送）する処理等を行なうＡＳＩＣである。このメモリ制御ＡＳＩＣ６２は、ＲＡＭモジュール６５，ＲＯＭモジュール６６上の各ＳＰＤを制御する（各ＳＰＤから情報を読み出す）ための機能（つまり、Ｉ２Ｃで通信を行う機能）も、有している。
【０００９】
そして、メモリ制御ＡＳＩＣ６２と各メモリモジュール上のＳＰＤとの間は、ＳＰＤ用信号線６８によって接続されている。なお、図において、ＲＯＭモジュール６６へのＳＰＤ用信号線６８とＲＯＭモジュール６６用のバスとが交差している部分（点線で囲まれた部分）は、制御ユニット６０のプリント基板（メモリ制御ＡＳＩＣ６２等が搭載されているプリント基板）では、配線が立体的に交差している部分（以下、交差部と表記する）に、相当している。また、ＲＯＭモジュール６６上のＳＰＤへのＳＰＤ用信号線６８の経路を、この交差部が必要なものとしているのは、ＲＯＭモジュール６６上のＳＰＤとメモリ制御ＡＳＩＣ６２との間を過度に長いＳＰＤ用信号線６８で接続するのは好ましくないためである。
【００１０】
画像処理ＡＳＩＣ６３は、メモリ制御ＡＳＩＣ６２から供給された画像データに対して色変換等の画像処理を施すことによりビデオデータを生成して印刷エンジン６０に供給するＡＳＩＣである。この画像処理ＡＳＩＣ６３は、印刷制御インタフェース用コネクタ７１を介して印刷エンジン６０との間で通信を行うための機能も、有している。
【００１１】
さて、この印刷装置５０の，ＲＡＭ用のバスとＲＯＭ用のバスとが別々に設けられているという構成は、高性能化（メモリバス周波数の高速化やメモリバスの広ビット化）が容易であるという利点を有するものである。しかしながら、この構成は、交差部にてクロストークやノイズが発生しないように、制御ユニット６０のプリント基板を設計・製造するのが困難なものとなっている。
【００１２】
また、印刷エンジンの中には、図４に模式的に示したように、２系統の信号線を交差させなければ画像処理ＡＳＩＣ６２と接続できない印刷エンジン７０′（印刷制御インタフェース用コネクタ７１とビデオデータインタフェース用コネクタ７２との位置関係が、印刷エンジン７０とは全く逆になっているもの）が存在しているが、そのような印刷エンジン７０′を、印刷エンジン７０用に構成されている印刷装置５０に組み込むことは実際上不可能である。換言すれば、この印刷装置５０の，印刷エンジン７０と画像処理ＡＳＩＣ６３とが２系統の信号線により接続されているという構成は、利用可能な印刷エンジンの種類が、実際上、限定されるものとなっていた。
【発明の開示】
【発明が解決しようとする課題】
【００１３】
本発明は、上記現状を鑑みなされたものであり、本発明の第１の課題は、使用（搭載）する印刷エンジンの種類が限定されない形で印刷装置を製造できる印刷装置製造方法を、提供することにある。
【００１４】
また、本発明の第２の課題は、設計，製造が容易な印刷装置を、提供することにある。
【００１５】
また、本発明の第３の課題は、それを使用することにより、印刷装置を容易に設計，製造することが出来る印刷装置用集積回路を、提供することにある。
【課題を解決するための手段】
【００１６】
上記第１の課題を解決するために、本発明の印刷装置製造方法では、自身の動作状態に関する状態情報を出力するための印刷制御インタフェース用コネクタ，及び，印刷内容を規定するビデオデータを入力するためのビデオデータインタフェース用コネクタが設けられた印刷エンジンを制御するための制御ユニットを、ビデオデータインタフェース用コネクタと接続可能なビデオデータ用コネクタ、及び、印刷制御インタフェース用コネクタと接続可能な２つの印刷制御用コネクタを有するユニットとして構成しておく共に、ビデオデータインタフェース用コネクタを、ビデオデータ用コネクタと接続すると共に、印刷制御インタフェース用コネクタを、２つの印刷制御用コネクタの中の，接続作業が容易な方のコネクタと接続することにより、印刷装置が製造される。
【００１７】
すなわち、この印刷装置製造方法では、印刷エンジンの印刷制御インタフェース用コネクタと接続可能な２つの印刷制御用コネクタを有する制御ユニットが用いられて印刷装置が製造される。従って、この印刷装置製造方法によれば、印刷制御インタフェース用コネクタの接続先が選択可能な分、使用（搭載）する印刷エンジンの種類（各インタフェース用コネクタの位置）に関する制限が少ない形で、印刷装置を製造できることになる。
【００１８】
また、本発明の他の態様の印刷装置製造方法では、自身の動作状態に関する状態情報を出力するための印刷制御インタフェース用コネクタ，及び，印刷内容を規定するビデオデータを入力するためのビデオデータインタフェース用コネクタが設けられた印刷エンジンを制御するための制御ユニットを、印刷制御インタフェース用コネクタを介して印刷エンジンとの間で通信を行うための機能，及び，ビデオデータインタフェース用コネクタを介して印刷エンジンにビデオデータを供給するための機能を有するビデオデータ供給用集積回路と、印刷制御インタフェース用コネクタを介して印刷エンジンとの間で通信を行うための機能を有する第２集積回路と、ビデオデータ集積回路及び第２集積回路を介して印刷エンジンを制御するＣＰＵとを含むユニットとして構成しておく共に、ビデオデータインタフェース用コネクタを、ビデオデータ用集積回路と接続すると共に、印刷制御インタフェース用コネクタを、ビデオデータ用集積回路及び第２集積回路の中の，接続作業が容易な方の集積回路に接続することにより、印刷装置が製造される。
【００１９】
すなわち、この態様の印刷装置製造方法では、印刷エンジンの印刷制御インタフェース用コネクタと接続可能な２つの集積回路を有する制御ユニットが用いられて印刷装置が製造される。従って、この印刷装置製造方法を用いても、印刷制御インタフェース用コネクタの接続先が選択可能な分、使用（搭載）する印刷エンジンの種類（各インタフェース用コネクタの位置）に関する制限が少ない形で、印刷装置を製造できることになる。
【００２０】
なお、この態様の印刷装置製造方法にて印刷装置を製造する場合には、制御ユニットが、ＳＰＤが設けられている第１メモリモジュールと，ＳＰＤが設けられている第２メモリモジュールと，第１メモリモジュール上のＳＰＤ及びメモリを利用するための機能を有する第１集積回路とを，更に備え、第２集積回路として、第２メモリモジュール上のＳＰＤ及びメモリを利用するための機能を有する集積回路を備えたユニットとなるようにしておくことが出来る。そして、そのようにしておいた場合には、制御ユニットが、各メモリモジュール上のＳＰＤを制御するためのＳＰＤ用信号線を他の信号線と交差させることなく製造可能なプリント基板を用いて製造できるものとなるので、印刷装置をより容易に（プリント基板の設計，製造がより容易な形で）製造できることになる。
【００２１】
また、本発明の印刷装置は、ＣＰＵと、ＣＰＵに接続された第１集積回路と、第１集積回路に接続された第２集積回路と、ＳＰＤが設けられている第１メモリモジュールと、ＳＰＤが設けられている第２メモリモジュールとが、プリント基板上に取り付けられた制御ユニットを有する印刷装置であって、第１集積回路が、第１メモリモジュール上のＳＰＤを利用するための機能と第１メモリモジュール上のメモリを利用するための機能とを有する集積回路とされ、第２集積回路が、第２メモリモジュール上のＳＰＤを利用するための機能と第２メモリモジュール上のメモリを利用するための機能とを有する集積回路とされた構成を、有する。
【００２２】
この印刷装置は、各メモリモジュール上のＳＰＤを制御するためのＳＰＤ用信号線を他の信号線と交差させることなく製造可能なプリント基板を用いて制御ユニットが製造できるものとなる。従って、本発明によれば、製造が容易な（プリント基板の設計，製造が容易な）印刷装置を提供できることになる。
【００２３】
そして、本発明の本発明の印刷装置用集積回路は、自身の動作状態に関する状態情報を出力するための印刷制御インタフェース用コネクタと印刷内容を規定するビデオデータを入力するためのビデオデータインタフェース用コネクタとを有する印刷エンジン、及び、ビデオデータインタフェース用コネクタを介して印刷エンジンにビデオデータを供給するためのビデオデータ供給用集積回路と組み合わされて使用される印刷装置用集積回路であって、印刷制御インタフェース用コネクタを介して印刷エンジンとの間で通信を行うための機能と、メモリモジュール上のＳＰＤを利用するための機能と、メモリモジュール上のメモリを利用するための機能とを、有する。
【００２４】
すなわち、この印刷装置用集積回路は、請求項３記載の印刷装置製造方法における第２集積回路として使用できるものとなっている。従って、この印刷装置用集積回路を用いれば、使用（搭載）する印刷エンジンの種類（各インタフェース用コネクタの位置）に関する制限が少ない構成の、製造が容易な印刷装置を実現できることになる。
【発明を実施するための最良の形態】
【００２５】
以下、本発明を実施するための最良の形態を、図面を参照して詳細に説明する。
【００２６】
本実施形態に係る印刷装置製造方法は、図１(ａ)に示したような構成の印刷装置１０ａや、図１(ｂ)に示したような構成の印刷装置１０ｂが製造される方法である。
【００２７】
印刷装置１０ａに用いられている印刷エンジン３０ａは、ビデオデータインタフェース用コネクタ３２（図では、ビデオデータインタフェース）を介して入力されたビデオデータに応じた内容の印刷を用紙上に行うユニットである。この印刷エンジン３０ａは、自身の動作状態を表す状態情報（印字可能であるか否か、エラーの有無等を示す情報）を印刷制御インタフェース用コネクタ３１（図では、印刷制御インタフェース）を介して出力する機能も、有している。
【００２８】
また、印刷装置１０ｂに用いられている印刷エンジン３０ｂは、印刷エンジン３０ａと同様に制御することが出来るエンジンである。ただし、この印刷エンジン３０ｂは、印刷エンジン３０ａでは、印刷制御インタフェース用コネクタ３１、ビデオデータインタフェース用コネクタ３２が設けられている部分に、それぞれ、ビデオデータインタフェース用コネクタ３２、印刷制御インタフェース用コネクタ３１が設けられているものとなっている。
【００２９】
各印刷装置１０ｘ（ｘ＝ａ，ｂ）に用いられている制御ユニット２０は、ＣＰＵ２１，メモリ制御ＡＳＩＣ２２，画像処理ＡＳＩＣ２３，ＩＯ制御ＡＳＩＣ２４，ＲＡＭモジュール２５，ＲＯＭモジュール２６等がプリント基板上に取り付けられたユニットである。
【００３０】
この制御ユニット２０に含まれるＣＰＵ２１は、印刷装置１０ｘを動作させるための各種の処理（演算処理，制御処理）を行う制御回路である。ＲＯＭモジュール２６（本発明における第２メモリモジュールに相当）は、複数のＲＯＭとＳＰＤ（Serial Presence Derect）とが基板上に搭載されたメモリモジュール（本実施形態では、ＤＩＭＭ）である。ＲＯＭモジュール２６上の各ＲＯＭには、ＣＰＵ２１が実行するプログラムや印刷時に利用されるフォントデータ等が、記憶されている。
【００３１】
ＲＡＭモジュール２５（本発明における第２メモリモジュールに相当）は、プログラムやデータの記憶に使用される複数のＲＡＭと、ＳＰＤとが、基板上に搭載されメモリモジュール（本実施形態では、ＳＤＲＡＭのＤＩＭＭ）である。
【００３２】
ＩＯ制御ＡＳＩＣ２４（本発明における第２集積回路と印刷装置用集積回路とに相当）は、従来の印刷装置５０（図３参照）に用いられているＩＯ制御ＡＳＩＣ６４に、ＳＰＤを制御する（ＳＰＤから情報を読み出す）ための機能と印刷エンジン３０ｘ（ｘ＝ａ，ｂ）から状態情報を取得するための機能とを付加したＡＳＩＣである。
【００３３】
メモリ制御ＡＳＩＣ２２（本発明における第１集積回路に相当）、画像処理ＡＳＩＣ２３（本発明におけるビデオデータ供給用集積回路に相当）は、それぞれ、従来の印刷装置５０に用いられているメモリ制御ＡＳＩＣ６２、画像処理ＡＳＩＣ６３と、同機能のＡＳＩＣである。
【００３４】
そして、制御ユニット２０用のプリント基板は、ＣＰＵ２１、メモリ制御ＡＳＩＣ２２等（図中の印刷エンジン３０ｘを除いた素子群）を、図示してあるような形態で相互に接続できるように、作成されている。すなわち、制御ユニット２０用のプリント基板は、ＲＡＭモジュール２５上のＳＰＤとＩＯ制御ＡＳＩＣ２４とを接続するためのＳＰＤ用信号線１８ｍ、ＲＯＭモジュール２６上のＳＰＤとＩＯ制御ＡＳＩＣ２４とを接続するためのＳＰＤ用信号線１８ｉが、いずれも、他の信号線と交差しないものとなっている。
【００３５】
また、制御ユニット２０用のプリント基板には、画像処理ＡＳＩＣ２３をビデオデータインタフェース用コネクタ３２に接続するためのビデオデータ用コネクタ２７ｖと、画像処理ＡＳＩＣ２３を印刷制御インタフェース用コネクタ３１に接続するための第１印刷制御用コネクタ２７1と、ＩＯ制御ＡＳＩＣ２４を印刷制御インタフェース用コネクタ３１に接続するための第２印刷制御用コネクタ２７2とが、設けられている。
【００３６】
そして、本印刷装置製造方法では、印刷エンジン３０ａを用いる場合には、印刷エンジン３０ａのビデオデータインタフェース用コネクタ３２と制御ユニット２０のビデオデータ用コネクタ２７ｖとの間、印刷エンジン３０ａの印刷制御インタフェース用コネクタ３１と制御ユニット２０の第１印刷制御用コネクタ２７1（画像処理ＡＳＩＣ２３）との間をそれぞれ接続し、プログラム用のＲＯＭモジュール２６として、ＣＰＵ２１に印刷エンジン３０ａからの状態情報の取得を画像処理ＡＳＩＣ２３を介して行わせるプログラムを記憶したモジュールを用いることによって、印刷装置１０ａが製造される。
【００３７】
一方、印刷エンジン３０ｂを用いる場合には、印刷エンジン３０ｂのビデオデータインタフェース用コネクタ３２と制御ユニット２０のビデオデータ用コネクタ２７ｖとの間、印刷エンジン３０ｂの印刷制御インタフェース用コネクタ３１と制御ユニット２０の第２印刷制御用コネクタ２７2（ＩＯ制御ＡＳＩＣ２４）との間をそれぞれ接続し、プログラム用のＲＯＭモジュール２６として、ＣＰＵ２１に印刷エンジン３０ａからの状態情報の取得をＩＯ制御ＡＳＩＣ２４を介して行わせるプログラムを記憶したモジュールを用いることによって、印刷装置１０ｂが製造される。
【００３８】
以上、説明したように、本実施形態に係る印刷装置製造方法では、印刷エンジン３０ｘ（ｘ＝ａ，ｂ）の印刷制御インタフェース用コネクタ３１と接続可能な第１，第２印刷制御用コネクタ２７1，２７2を有する制御ユニット２０が用いられて印刷装置１０ｘが製造される。従って、この印刷装置製造方法によれば、印刷制御インタフェース用コネクタ３１の接続先が選択可能な分、使用（搭載）する印刷エンジンの種類（各インタフェース用コネクタの位置）に関する制限が少ない形で、印刷装置を製造できることになる。
【００３９】
また、本実施形態に係る印刷装置製造方法にて製造されている印刷装置１０ｘの制御ユニット２０には、ＲＡＭモジュール２５上のＲＡＭ及びＳＰＤを制御可能なメモリ制御ＡＳＩＣ２２と、ＲＯＭモジュール２６上のＲＯＭ及びＳＰＤを制御可能なＩＯ制御ＡＳＩＣ２４とが、用いられている。このため、制御ユニット２０は、各ＳＰＤ用信号線２８ｙ（ｙ＝ｉ，ｍ）を他の信号線と交差させることなく製造可能なプリント基板を用いて製造できるものとなっている。従って、印刷装置１０ｘは、その設計，製造が容易な装置となっていると言うことが出来る。
【００４０】
＜変形形態＞
上記した印刷装置製造方法は、各種の変形を行うことが出来る。例えば、印刷装置製造方法を、図２(ａ)，(ｂ)に示したような構成の印刷装置１０ｃ，１０ｄ、すなわち、ＲＡＭモジュール２５とＲＯＭモジュール２６とが同一のバスに接続されているため、ＳＰＤ用信号線２８がバスと交差しない印刷装置１０ｃ，１０ｄが、製造されるものとしておいても良い。ただし、この構成は、高性能化が図りにくいものであるので、高性能な印刷装置を製造したい場合には、印刷装置１０ａ、１０ｂのように、ＲＡＭモジュール２５用のバスとＲＯＭモジュール２６用のバスとが別々に設けられた装置が製造されるようにしておくことが望ましい。
【００４１】
また、プリント基板の設計・製造が困難であるという問題は残ることにはなるが、従来の印刷装置５０（図３参照）とメモリモジュール関連の構成が等しい（印刷エンジン関連の構成が異なっている）印刷装置が製造されるように、実施形態の印刷装置製造方法を変形しても良い。また、使用可能な印刷エンジンの種類が限定されるという問題は残ることにはなるが、上記技術に基づき、従来の印刷装置５０と印刷エンジン関連の構成が等しい（ＲＡＭモジュール２５，ＲＯＭモジュール２６関連の構成が異なっている）印刷装置を製造しても良い。
【００４２】
また、画像処理ＡＳＩＣ２３を、ビデオデータを出力するためのビン群の両側に、状態情報を印刷エンジン３０ｘから取得するための２系統のピン群を有するものとし、それら２系統のピン群に、第１印刷制御用コネクタ２７1と第２印刷制御用コネクタ２７2とを取り付けておいても良い。
【図面の簡単な説明】
【００４３】
【図１】本発明の一実施形態に係る印刷装置製造方法にて製造される印刷装置の構成図。
【図２】実施形態に係る印刷装置製造方法の変形例の説明図。
【図３】既存の印刷装置の構成図。
【図４】既存の印刷装置が有している問題を説明するための図。
【符号の説明】
【００４４】
１０ａ，１０ｂ  印刷装置、  ２０  制御ユニット、  ３０ａ，３０ｂ  印刷エンジン
３１  印刷制御インタフェース用コネクタ
３２  ビデオデータインタフェース用コネクタ
２１  ＣＰＵ、  ２２  メモリ制御ＡＳＩＣ、  ２３  画像処理ＡＳＩＣ
２４  ＩＯ制御ＡＳＩＣ、  ２５  ＲＡＭモジュール、  ２６  ＲＯＭモジュール
２８，２８ｉ，２８ｍ  ＳＰＤ用信号線
【図１】
2005131983.tif 000003
【図２】
2005131983.tif 000004
【図３】
2005131983.tif 000005
【図４】
2005131983.tif 000006